(57)【要約】【課題】既設基礎杭の健全性を診断するにあたり、掘削壁面を保護しつつ掘削土砂を低減できるようにする。【解決手段】既設地上構造物１の周囲の地上から、既設地上構造物の下部に位置する基礎杭２に達するように削孔を行うとともに、孔内にケーシング１３を設置し、しかる後、ケーシング１３内を通して基礎杭２側面に損傷検出装置３０を導入設置し、この損傷検出装置３０により基礎杭２の側面から打撃を与えるとともに打撃開始時間及び反射波の到達時間を計測して損傷を検出し、杭の健全性を診断する。【選択図】図１
2007271587.tif 000002
【特許請求の範囲】
【請求項１】
既設地上構造物の周囲の地上から、既設地上構造物の下部地盤に位置する基礎杭に達するように削孔を行うとともに、孔内にケーシングを設置する、掘削工程と、
前記ケーシング内を通して基礎杭側面に損傷検出装置を導入設置し、この損傷検出装置により基礎杭側面から打撃を与えるとともに打撃開始時間及び反射波の到達時間を計測して損傷を検出する、計測工程とを含む、
ことを特徴とする杭の健全性診断方法。
【請求項２】
前記掘削工程において、前記ケーシング内にオーガーを挿入した状態で、孔内に削孔水を供給せずに、オーガーを回転させて削孔しつつケーシングを挿入するとともに、オーガーによりケーシングの基端側に掘削土砂を移送して地上に排出させる、請求項１記載の杭の健全性診断方法。
【請求項３】
前記掘削工程において、前記オーガー内を通じてオーガー先端から検知ロッドを手動で突出させるとともに、この検知ロッド内を通じて検知ロッドの先端から削孔水を噴射させ、検知ロッドの先端が基礎杭の側面に突き当たるか否かを調べることによって、基礎杭の位置を確認する、請求項２記載の杭の健全性診断方法。
【請求項４】
前記掘削工程において、前記基礎杭の近傍まで前記オーガー及びケーシングを挿入した後、前記ケーシング前方に削孔水を噴射させて、前記ケーシング先端から基礎杭側面までの地盤を切削した後、切削部分の泥水を地上から吸引除去し、ケーシング先端から基礎杭側面までの検出装置進入スペースを形成する、請求項２または３記載の杭の健全性診断方法。
【請求項５】
前記泥水の吸引に際して、前記ケーシングを残して前記オーガーを引き抜いた後、
地上から前記ケーシング内を介して泥水部位まで吸引管を挿入し、この吸引管を介して前記吸引を行う、請求項４記載の杭の健全性診断方法。
【請求項６】
前記掘削工程において、前記基礎杭の側面に水を衝突させて基礎杭の側面を洗浄する、請求項２〜５のいずれか１項に記載の杭の健全性診断方法。
【請求項７】
前記損傷検出装置は、地上から基礎杭近傍に達する支持軸と、この支持軸の先端部に設けられた計測部とを備えており、
この計測部は前記基礎杭の側面に押し付けられる押付板と、この押付板に取り付けられた加速度センサーと、前記押付板に打撃を与えるハンマーとを有しており、
前記計測工程において、前記支持軸を支持して前記計測部を前記ケーシング内に挿入して、前記計測部の押付板を基礎杭側面に押し当てた後、この状態で前記ハンマーにより打撃を与えるとともに加速度センサーにより加速度を測定し、この加速度測定結果に基づいて打撃開始時間及び反射波の到達時間を計測して損傷を検出する、
請求項１〜６のいずれか１項に記載の杭の健全性診断方法。
【請求項８】
前記計測工程において、前記支持軸の先端部をケーシングに対して固定するとともに、この支持軸の先端部に対して前記計測部を基礎杭側面に向けて押し付けることにより、前記押付板の基礎杭側面への押し当てを行う、請求項７記載の杭の健全性診断方法。
【請求項９】
前記押付板の押し付け面に突起が設けられている、請求項７または８記載の杭の健全性診断方法。
【請求項１０】
前記ハンマー部と押付板とが緩衝材を介して連結されている、請求項７〜９のいずれか１項に記載の杭の健全性診断方法。
【請求項１１】
回転及び進退自在に支持されたオーガーと、
内部に前記オーガーが挿入され、オーガーとともに進退自在に支持されたケーシングと、
前記オーガー内を貫通してオーガー先端から手動で突出させうるように設けられた検知ロッドと、
この検知ロッドの先端に設けられた削孔水の噴射孔と、
を備えたことを特徴とする掘削装置。
【請求項１２】
前記オーガーの先端に、軸方向に対して斜め前方に削孔水を噴射する噴射孔を備えた、請求項１１記載の掘削装置
【請求項１３】
支持軸と、この支持軸の先端部に設けられた計測部とを備え、
前記計測部は、杭の側面に押し付けられる押付板と、この押付板に取り付けられた加速度センサーと、前記押付板に打撃を与えるハンマーとを有し、
前記押付板を杭側面に押し当てた状態で前記ハンマーにより打撃を与えるとともに加速度センサーにより加速度を測定し、この加速度測定結果に基づいて打撃開始時間及び反射波の到達時間を計測して損傷を検出するように構成した、
ことを特徴とする杭の損傷検出装置。
【請求項１４】
前記支持軸の先端部に、支持軸と直交する方向に伸張する固定シリンダーが設けられるとともに、前記支持軸の先端部に対して前記計測部を前方に向けて押し付ける押付シリンダー装置が設けられている、請求項１３記載の杭の損傷検出装置。
【請求項１５】
前記押付板の押し付け面に突起が設けられている、請求項１３または１４記載の杭の損傷検出装置。
【請求項１６】
前記ハンマー部と押付板とが緩衝材を介して連結されている、請求項１３〜１５のいずれか１項に記載の杭の損傷検出装置。
【発明の詳細な説明】
【技術分野】
【０００１】
本発明は、地上から既設構造物の基礎杭の健全性を診断する方法、ならびにこれに公的に用いられる掘削装置および杭の損傷検出装置に関するものである。
【背景技術】
【０００２】
例えばビルの建替えに際しては、古いビルの既設基礎杭の健全性を診断し、再利用の可能性を調査することが行われる。新設の基礎杭や完全に解体したビルの基礎杭のように杭頭部が露出した状態の杭に対しては、その杭の露出部分に打撃を与えるとともに打撃開始時間及び反射波の到達時間を計測して、地中での破損状況を診断することが行われる（例えば特許文献１参照）。
一方、既設ビルの基礎杭を対象として健全性を診断する場合には、既設基礎杭の頭部が露出するように周囲地盤を３ｍ程度開削し、杭の側面を露出させた後、計測員が開削部の中に入って計測するといった方法がとられている。
しかしながら、この場合、掘削壁面の保護や、掘削土砂の処理などの点で問題点があった。
【特許文献１】特開２００２−２９６２５３号公報
【発明の開示】
【発明が解決しようとする課題】
【０００３】
そこで、本発明の主たる課題は、既設基礎杭の健全性を診断するにあたり、掘削壁面を保護しつつ掘削土砂を低減できる技術を提供することにある。
【課題を解決するための手段】
【０００４】
上記課題を解決した本発明は次記のとおりである。
＜請求項１記載の発明＞
既設地上構造物の周囲の地上から、既設地上構造物の下部地盤に位置する基礎杭に達するように削孔を行うとともに、孔内にケーシングを設置する、掘削工程と、
前記ケーシング内を通して基礎杭側面に損傷検出装置を導入設置し、この損傷検出装置により基礎杭側面から打撃を与えるとともに打撃開始時間及び反射波の到達時間を計測して損傷を検出する、計測工程とを含む、
ことを特徴とする杭の健全性診断方法。
【０００５】
（作用効果）
本発明では、削孔により基礎杭の側面に達する孔を設けるとともに、孔内にケーシングを設置した後、ケーシング内を介して弾性波による損傷検出を行うため、掘削壁面の保護により計測作業を容易化しつつ、従来の開削と比べて掘削土砂を著しく低減できるようになるものである。
【０００６】
＜請求項２記載の発明＞
前記掘削工程において、前記ケーシング内にオーガーを挿入した状態で、孔内に削孔水を供給せずに、オーガーを回転させて削孔しつつケーシングを挿入するとともに、オーガーによりケーシングの基端側に掘削土砂を移送して地上に排出させる、請求項１記載の杭の健全性診断方法。
【０００７】
（作用効果）
このように、掘削に際して削孔水を供給せずに、オーガーを利用して掘削土砂を地上に排出させることで、掘削土砂の排出量を最小限度にすることができる。
【０００８】
＜請求項３記載の発明＞
前記掘削工程において、前記オーガー内を通じてオーガー先端から検知ロッドを手動で突出させるとともに、この検知ロッド内を通じて検知ロッドの先端から削孔水を噴射させ、検知ロッドの先端が基礎杭の側面に突き当たるか否かを調べることによって、基礎杭の位置を確認する、請求項２記載の杭の健全性診断方法。
【０００９】
（作用効果）
オーガーにより削孔を行う場合、オーガー先端を基礎杭に衝突させてしまうと杭を損傷させてしまうため、本項記載のように検知ロッドを手動で突出させて、杭の位置を確認するのが好ましい。
【００１０】
＜請求項４記載の発明＞
前記掘削工程において、前記基礎杭の近傍まで前記オーガー及びケーシングを挿入した後、ケーシング前方に削孔水を噴射させて、前記ケーシング先端から基礎杭側面までの地盤を切削した後、切削部分の泥水を地上から吸引除去し、ケーシング先端から基礎杭側面までの検出装置進入スペースを形成する、請求項２または３記載の杭の健全性診断方法。
【００１１】
（作用効果）
オーガーにより削孔を行う場合、杭の近傍まで削孔することはできても、杭の損傷のおそれなしに杭の側面を露出させることは極めて困難である。そこで、本項記載のように、杭近傍までオーガーで削孔した後は、ケーシング前方への削孔水噴射および泥水の除去により、ケーシング先端から基礎杭側面まで到達する検出装置進入スペースを形成すると、杭の損傷のおそれ無しに、基礎杭外面に対する計測が可能になるため好ましい。なお、本項の削孔水の噴射は、例えばオーガーの先端から行う他、これとともに或いはこれに代えて前述の検知ロッドの先端からの噴射を利用して行うこともできる。
【００１２】
＜請求項５記載の発明＞
前記泥水の吸引に際して、前記ケーシングを残して前記オーガーを引き抜いた後、
地上から前記ケーシング内を介して泥水部位まで吸引管を挿入し、この吸引管を介して前記吸引を行う、請求項４記載の杭の健全性診断方法。
【００１３】
（作用効果）
泥水の吸引は、オーガー内を介して行っても良いが、狭いスペースに泥水を通すと異物が詰まるおそれがあるため、本項記載のようにオーガーを引き抜いた後に、吸引管を別途挿入して吸引を行うのが好ましい。
【００１４】
＜請求項６記載の発明＞
前記掘削工程において、前記基礎杭の側面に水を衝突させて基礎杭の側面を洗浄する、請求項２〜５のいずれか１項に記載の杭の健全性診断方法。
【００１５】
（作用効果）
本発明は、露出した基礎杭の側面で損傷検出を行う。このため、基礎杭の側面に土砂が付着していると、土砂を介して打撃を与え、土砂を介して反射波の検出を行うことになり、計測精度が低下するおそれがある。そこで、本項記載のように、予め水により洗浄するのは非常に好ましい。なお、本項の洗浄は、前述の検出装置進入スペースの形成を目的とした削孔水の噴射を利用しても、またこれと別に行うこともできる。
【００１６】
＜請求項７記載の発明＞
前記損傷検出装置は、地上から基礎杭近傍に達する支持軸と、この支持軸の先端部に設けられた計測部とを備えており、
この計測部は前記基礎杭の側面に押し付けられる押付板と、この押付板に取り付けられた加速度センサーと、前記押付板に打撃を与えるハンマーとを有しており、
前記計測工程において、前記支持軸を支持して前記計測部を前記ケーシング内に挿入して、前記計測部の押付板を基礎杭側面に押し当てた後、この状態で前記ハンマーにより打撃を与えるとともに加速度センサーにより加速度を測定し、この加速度測定結果に基づいて打撃開始時間及び反射波の到達時間を計測して損傷を検出する、
請求項１〜６のいずれか１項に記載の杭の健全性診断方法。
【００１７】
（作用効果）
このように支持軸の先端部に計測部を備えることにより、地上から支持軸を操作して、計測部を孔内を通じて計測部位に接近させて計測を行うことができ、計測が非常に容易になるとともに、孔の小径化及びそれによる掘削土砂の更なる低減を図ることができるようになる。
【００１８】
＜請求項８記載の発明＞
前記計測工程において、前記支持軸の先端部をケーシングに対して固定するとともに、この支持軸の先端部に対して前記計測部を基礎杭側面に向けて押し付けることにより、前記押付板の基礎杭側面への押し当てを行う、請求項７記載の杭の健全性診断方法。
【００１９】
（作用効果）
本項記載のように予め支持軸の先端をケーシングに固定し、これに反力をとって計測部の押付板を基礎杭側面に押し付けることで、容易かつ確実に検出を行うことができるようになる。
【００２０】
＜請求項９記載の発明＞
前記押付板の押し付け面に突起が設けられている、請求項７または８記載の杭の健全性診断方法。
【００２１】
（作用効果）
このような突起を有することで、杭表面に多少の土砂が付着していても、また洗浄を行う場合には洗浄が多少不十分であっても、打撃の伝達や反射波の計測をより正確に行うことができるようになる。
【００２２】
＜請求項１０記載の発明＞
前記ハンマー部と押付板とが緩衝材を介して連結されている、請求項７〜９のいずれか１項に記載の杭の健全性診断方法。
【００２３】
（作用効果）
本項記載のような連結構造を有することにより、ハンマー及び押付板を一体化してコンパクトな装置構成にしても、効果的な打撃が可能になる。
【００２４】
＜請求項１１記載の発明＞
回転及び進退自在に支持されたオーガーと、
内部に前記オーガーが挿入され、オーガーとともに進退自在に支持されたケーシングと、
前記オーガー内を貫通してオーガー先端から手動で突出させうるように設けられた検知ロッドと、
この検知ロッドの先端に設けられた削孔水の噴射孔と、
を備えたことを特徴とする掘削装置。
【００２５】
（作用効果）
請求項２及び請求項３記載の発明と同様の作用効果が奏せられる。
【００２６】
＜請求項１２記載の発明＞
前記オーガーの先端に、軸方向に対して斜め前方に削孔水を噴射する噴射孔を備えた、請求項１１記載の掘削装置
【００２７】
（作用効果）
請求項４記載の発明と同様の作用効果が奏せられる。特に、本項記載のような噴射孔を備えることにより、より容易に前述の検出装置進入スペースを形成することができる。
【００２８】
＜請求項１３記載の発明＞
支持軸と、この支持軸の先端部に設けられた計測部とを備え、
前記計測部は、杭の側面に押し付けられる押付板と、この押付板に取り付けられた加速度センサーと、前記押付板に打撃を与えるハンマーとを有し、
前記押付板を杭側面に押し当てた状態で前記ハンマーにより打撃を与えるとともに加速度センサーにより加速度を測定し、この加速度測定結果に基づいて打撃開始時間及び反射波の到達時間を計測して損傷を検出するように構成した、
ことを特徴とする杭の損傷検出装置。
【００２９】
（作用効果）
請求項７と同様の作用効果が奏せられる。
【００３０】
＜請求項１４記載の発明＞
前記支持軸の先端部に、支持軸と直交する方向に伸張する固定シリンダーが設けられるとともに、前記支持軸の先端部に対して前記計測部を前方に向けて押し付ける押付シリンダー装置が設けられている、請求項１３記載の杭の損傷検出装置。
【００３１】
（作用効果）
請求項８と同様の作用効果が奏せられる。
【００３２】
＜請求項１５記載の発明＞
前記押付板の押し付け面に突起が設けられている、請求項１３または１４記載の杭の損傷検出装置。
【００３３】
（作用効果）
請求項９と同様の作用効果が奏せられる。
【００３４】
＜請求項１６記載の発明＞
前記ハンマー部と押付板とが緩衝材を介して連結されている、請求項１３〜１５のいずれか１項に記載の杭の損傷検出装置。
【００３５】
（作用効果）
請求項１０と同様の作用効果が奏せられる。
【発明の効果】
【００３６】
以上のとおり本発明によれば、掘削壁面を保護しつつ掘削土砂を低減できる等の利点がもたらされる。
【発明を実施するための最良の形態】
【００３７】
以下、本発明の一実施形態について添付図面を参照しながら詳説する。
図１は、本発明に係る診断方法における掘削工程の断面図を示しており、ビル等の既設地上構造物１の周囲の地上に設置した削孔装置１０により、既設地上構造物１の下部地盤の基礎杭２に達するように斜めに削孔を行っている。
【００３８】
削孔装置１０は、図２及び図３にも示すように、ベースマシン１１により回転及び進退自在に支持されたオーガー１２と、このオーガー１２が内空に同軸的に挿入され、オーガーとともに進退自在に支持されたケーシング１３とを備えている。符号１１Ｍはオーガー１２を回転させるためのモーターを示している。
【００３９】
ケーシング１３は円筒体であり、基端部の側面に、内外に連通する排土口１３ｈが形成されている。先端周縁にビットを有するケーシングを用いることもでき、この場合ケーシングも回転駆動することができる。
【００４０】
オーガー１２は、回転軸１２ａの先端部にビット１２ｂが取り付けられるとともに、その基端側のケーシング１３内部分の実質的に全体が、ケーシング１３内面に近接もしくは接触する螺旋羽根１２ｗが設けられたスクリュー軸とされているものである。螺旋羽根１２ｗは回転軸１２ａの先端側部分にだけ設けるようにしても良い。
【００４１】
回転軸１２ａは筒状の中空軸であり、内空に検知ロッド１４が貫通されている。回転軸１２ａの内面と検知ロッド１４外面との隙間１２ｄは、回転軸１２ａの先端に形成された斜め前方を臨む傾斜噴射口１２ｊに連通されており、基端はスイベル１２ｓを介して図示しないポンプ等の水供給手段に連通されている。
【００４２】
検知ロッド１４は、先端にビット１４ｂを有する中空軸であり、内空の先端は軸方向前方を臨む前方噴射口１４ｊに連通されており、基端はオーガー１２の基端から突出し、この突出部分に設けられたスイベル１４ｓを介して図示しないポンプ等の水供給手段に連通されている。また、検知ロッド１４は、その基端露出部分を作業員が手で抜き差しすることにより、オーガー１２の先端から突出及び引き戻しができるようになっており、引き戻し状態では回転軸１２ａに対してピンやボルト等の固定手段により一体化することができる。この引き戻し状態では、検知ロッド１４の先端ビット１４ｂはオーガー１２の先端ビットとして機能する。
【００４３】
削孔に際しては、いわゆるケーシング掘削となる。すなわち、ケーシング１３の先端からオーガー１２先端を突出させた状態で、両噴射孔から削孔水を供給せずに、オーガー１２を回転させ基礎杭に向けて削孔しつつケーシング１３を回転挿入する。この際、掘削土砂はオーガー１２の螺旋羽根によりケーシング１３内に取り込まれて基端側に順次移送され、ケーシング１３基端部の排土口１３ｈを介して地上に排出される。排土口１３ｈにはホースを連結しておき、近傍に設置した図示しない排土槽に排出させても良い。排土口１３ｈに図示しない吸引ポンプを接続して排土を吸引により抜き出すこともできる。また、回転軸１２ａの先端側にのみ螺旋羽根１２ｗを設けたオーガー１２を用いる場合、ケーシング１３内に溜まった土砂を排出するために、ある程度の時点でもしくは掘削完了後に、ケーシング１３をそのままの位置に保持した状態でオーガー１２を引き抜くことができ、掘削完了前であれば再度オーガー１２を挿入して掘削を再開することができる。
【００４４】
ベースマシン１１のストローク量等を確認しながら、オーガー１２をある程度まで挿入したならば、図４に示すように、オーガー１２の先端から検知ロッド１４を手動で突出させるとともに、この検知ロッド１４の先端から削孔水を噴射させ、検知ロッド１４の先端が基礎杭２の側面に突き当たるか否かを調べることによって、基礎杭２の位置を確認する。地盤が軟らかい場合等、必要に応じて検知ロッド１４先端から削孔水を噴射させずに位置確認することもできる。基礎杭２の近傍まで到達していない場合には到達するまでオーガー１２による削孔及び検知ロッド１４による位置確認を繰り返し行う。
【００４５】
基礎杭２の近傍まで到達していれば、次いで、図５に示すように、オーガー１２を回転させながら傾斜噴射口１２ｊおよび前方噴射口１４ｊから削孔水を噴射させることによって、ケーシング１３先端から基礎杭２の側面までの地盤をケーシング１３と同程度の径で切削する。この際、基礎杭２の側面に水を衝突させて基礎杭２の側面の洗浄も行う。
【００４６】
切削・洗浄を終えたならば、ケーシング１３をそのままの位置に残してオーガー１２を引き抜く。図６に示すように、オーガー１２を引き抜いた後には、ケーシング１３内から基礎杭２の側面までの部分に、切削により発生した泥水Ｍが残留している。
【００４７】
続いて、図７に示すように、図示しない吸引ポンプに接続したホース等の吸引管１５を、地上からケーシング１３内を介して基礎杭２近傍まで挿入し、残留泥水Ｍの吸引除去を行う。吸引管１５及び吸引ポンプに代えて、水中ポンプを用いて残留泥水の吸引除去を行うことができる。これにより、ケーシング１３先端から基礎杭２側面までの検出装置進入スペース２０が形成され、このスペース２０及びケーシング１３により、既設地上構造物１の周囲の地上から基礎杭２に達する孔が形成される。
【００４８】
次いで、図８に示すように、この孔を介して基礎杭２側面に損傷検出装置３０を導入設置し、損傷検出を行う。損傷検出装置３０は、基礎杭側面から打撃を与えるとともに打撃開始時間及び反射波の到達時間を計測するものである。図８に示される損傷検出装置例３０は特に好ましい形態のものであり、図９にも示すように、地上から基礎杭２近傍に達する長さを有する支持軸３１と、支持軸３１の先端部に設けられた計測部４０とを備えているものである。
【００４９】
支持軸３１の先端部には、支持軸３１と直交する方向に伸張する固定シリンダー３２が設けられている。固定シリンダー３２のピストンロッド３３先端には当接板３４がリンク軸を介して回動自由に取り付けられている。固定シリンダー３２の伸張方向反対側にはシリンダーを介さずに当接板３４がリンク軸を介して回動自由に取り付けられている。図１０に示すように、支持軸３１の先端部の両側のそれぞれに、固定シリンダー３２を介して当接板３４を設けても良い。
【００５０】
支持軸３１の先端部は、押付シリンダー３５のシリンダー部により構成されており、そのピストンロッド３６は軸方向に沿って突出するようになっている。
【００５１】
計測部４０は、基部４１と、基部４１の前方に離間し且つ基部４１に対してゴム等の緩衝材４２を介して前後動可能に連結された押付板４３と、この押付板４３の背面に取り付けられた加速度センサー４４と、基部４１に取り付けられ、押付板４３の背面に打撃を与えるハンマー４５とを備えている。計測部４０は、基部４１において、支持軸３１先端部の押付シリンダー３５のピストンロッド３８先端部に、リンク軸を介して回動自由に取り付けられているものである。押付板４３の前面は基礎杭２に押し当てられる面であり、所定の間隔及び配列で多数の突起４３ｐが設けられている。
【００５２】
なお、図には示していないが、加速度センサー４４のための電源ケーブル、信号ケーブル類や、シリンダーやハンマーを作動させるための、エアーコンプレッサー等の圧縮空気供給手段あるいは油圧供給手段を備えていることはいうまでもない。
【００５３】
計測に際しては、地上から支持軸３１を操作して、計測部４０をケーシング１３内を通じて検出装置進入スペース内に進入させ、杭２の側面に近接もしくは軽く接触させた後、先ず固定シリンダー３２を伸張させ、両当接板３４をケーシング１３の内面に押し当てて突っ張り、支持軸３１の先端部をケーシング１３の先端部内面に対して固定する。続いて、押付シリンダー３５を伸張させることにより、固定された支持軸３１の先端部に対して計測部４０を押し出し、計測部４０先端の押付板４３を杭２表面に押し当てる。この際、押付板４３に突起４３ｐが設けられていることにより、杭表面に多少の土砂が付着していても、これを避けて押付板４３を杭２表面に接触させ易くなり、打撃の伝達や反射波の計測をより正確に行うことができるようになる。
【００５４】
押付板４３を杭２表面に押し当てたならば、その状態でハンマーにより押付板４３に打撃を与えるとともに加速度センサー４４により加速度を測定し、記録する。そして、この加速度測定結果を解析し、打撃開始時間及び反射波の到達時間に基づき杭の長さや損傷箇所を特定することができる。かくして、既設地上構造物１の周囲の地上から、地上構造物１の下部にある基礎杭２の健全性を遠隔的に診断することができる。
【産業上の利用可能性】
【００５５】
本発明は、既設地上構造物の基礎杭の健全性の診断に好適なものである。
【図面の簡単な説明】
【００５６】
【図１】掘削工程を示す断面図である。
【図２】図１の要部拡大断面図である。
【図３】図１の要部拡大断面図である。
【図４】検知工程の要部拡大断面図である。
【図５】検出装置進入スペース形成工程を示す要部拡大断面図である。
【図６】オーガー引き抜き後の状態を示す要部拡大断面図である。
【図７】残留泥水吸引工程を示す要部拡大断面図である。
【図８】計測工程を示す要部拡大断面図である。
【図９】損傷検出装置を示す要部拡大図である。
【図１０】損傷検出装置を示す要部拡大図である。
【符号の説明】
【００５７】
１…既設地上構造物、２…基礎杭、１０…削孔装置、１１…ベースマシン、１２…オーガー、１３…ケーシング、１４…検知ロッド、１５…吸引管、２０…検出装置進入スペース、３０…損傷検出装置。
【図１】
2007271587.tif 000003
【図２】
2007271587.tif 000004
【図３】
2007271587.tif 000005
【図４】
2007271587.tif 000006
【図５】
2007271587.tif 000007
【図６】
2007271587.tif 000008
【図７】
2007271587.tif 000009
【図８】
2007271587.tif 000010
【図９】
2007271587.tif 000011
【図１０】
2007271587.tif 000012